(57)【特許請求の範囲】
【請求項１】
弾性と伸縮性を付与して形成されたベルト状リングに、周方向へのスリットを設けて３以上のリング部を分割形成したブレスレットであって、前記周方向へのスリットを、分割形成するリング部同士の結合部を残した状態で設けるとともに、該結合部を交互に１８０度ずらして形成し、前記ブレスレットを並列状に展開した状態に変形できるように構成し、エキスパンダーとして利用できるように形成し、前記ブレスレットを手首に通す際に、前記３以上に分割形成したリング部のうち、一端部のリング部を手首に通さず、手首の上面から中指に引っ掛け、前記一端部のリング部を除くリング部を手首に挿通する方法により、必要に応じて、手の甲と手首を安定的かつ美的に飾る状態に装着するように構成したことを特徴とするブレスレット。
【発明の詳細な説明】
【技術分野】
【０００１】  本発明は、弾性と伸縮性を付与されて形成されたベルト状リングを３以上のリング部に分割形成し、エキスパンダーとして利用できるように構成した手首を飾るブレスレットに関するものである。【０００２】  周方向にスリットを設けたブレスレットに関する先行技術としては、「ブレスレット」がある（例えば、特許文献１参照）。
また、指の運動ができるブレスレットに関する先行技術としては、「ブレスレット」がある（例えば、特許文献２参照）。
【特許文献１】  特開平８−３３５１１号公報（請求項１〜７，図１〜９）
【特許文献２】  実開昭６３−２５０１３号公報（請求項１，図１〜３）
【発明の開示】
【発明が解決しようとする課題】
【０００３】  本願発明は、弾性と伸縮性を付与して形成されたベルト状リングに、周方向へのスリットを設けて３以上のリング部を分割形成し、並列状に展開してエキスパンダーとして利用できるようにしたブレスレットを、必要に応じ、手の甲と手首を安定的かつ美的に飾る状態に装着するように構成したブレスレットを提供しようとするものである。
【課題を解決するための手段】
【０００４】  上記課題を解決するため、本発明によるブレスレットは、弾性と伸縮性を付与して形成されたベルト状リングに、周方向へのスリットを設けて３以上のリング部を分割形成したブレスレットであって、前記周方向へのスリットを、分割形成するリング部同士の結合部を残した状態で設けるとともに、該結合部を交互に１８０度ずらして形成し、前記ブレスレットを並列状に展開した状態に変形できるように構成し、エキスパンダーとして利用できるように形成し、前記ブレスレットを手首に通す際に、前記３以上に分割形成したリング部のうち、一端部のリング部を手首に通さず、手首の上面から中指に引っ掛け、前記一端部のリング部を除くリング部を手首に挿通する方法により、必要に応じて、手の甲と手首を安定的かつ美的に飾る状態に装着するように構成する。
【発明の効果】
【０００５】  本発明のブレスレットでは、ベルト状リングを手首に通す際に、最上段又は最下段のリング部を手首に通さずに、手首の上面から中指に引っ掛けることができ、手の甲と手首を安定的かつ美的に飾るブレスレットとして利用できるエキスパンダーが提供できる。【０００６】  上記と併せ、手首に通さないリング部を垂れ下がる装飾用リングとしたブレスレットが提供できるほか、リング部同士の結合部を残した状態で周方向へのスリットを設けているので、ベルト状リングを装着時、手首の屈曲がしやすくなる効果が生じる。
【発明を実施するための最良の形態】
【０００７】  弾性と伸縮性を付与して形成されたベルト状リングは、例えば、天然ゴム、シリコンゴム、フッ素ゴム、ウレタンゴム、エラストマーなど、弾性と伸縮性を付与できる素材で、回転、移動が自在な状態で手首に装着できる適正なサイズに設計し形成される。
装身具として使用目的の観点からは、ベルト状リングは練り込みや塗装など任意な方法による着色や模様付けとそれらを任意に組み合わせする実施形態が任意に選択できる。
本発明でのブレスレットの使用目的の一つとしてリフレッシュを図る観点からは、練り込みや含浸など任意な方法により賦香する実施形態が任意に選択できる。
また、弾性と伸縮性を付与して形成されたベルト状リングは、任意なリング部面上に任意な突起や凹部が設ける実施形態が任意に選択できる。【０００８】  周方向へのスリットを設けて３以上のリング部を分割形成するには、例えば、ベルト状リングに、スリットを入れる方法のほか、金型を用いてスリットを設けたベルト状リングを成型する方法などがあり、任意に選択することができる。
また、結合部を残した状態に設けるスリットの端部は、裂けないようにするための任意な加工を任意に選択することができる。【０００９】  ３以上のリング部を分割形成してエキスパンダーとして利用できるように形成したブレスレットは、両端部のリング部に親指を通して左右に広げることで、胸郭を開いて体幹に負荷を与える効果を伴うエキスパンダーとして利用することができる。
３以上のリング部を分割形成してエキスパンダーとして利用できるように形成したブレスレットのリング部には他のリング部と係止可能にできる係止具、例えば、スナップフックやナスカンなどを取り付ける実施形態も任意に選択することができる。【００１０】  本発明によるエキスパンダーとして利用できるように形成したブレスレットは、必要に応じて、ベルト状リングのリング部の一部を手首に挿通しない方法で、手首に装着するブレスレットの形態を変える構成と装着方法を含ませており、例えば、ブレスレットを手首に通す際に、最上段又は最下段のリング部を手首に通さず、手首の上面から中指に引っ掛け、手の甲と手首を飾るリング部の位置や形状が手を動かせても変らないように、安定的かつ美的に飾る状態に装着する形態に変えることができる。
なお、中指以外の指に引っ掛ける実施形態や、複数のリング部を引っ掛ける実施形態、手首の下面から任意の指に掛ける実施形態、なども任意に選択することができる。【００１１】  上記と併せ、手首に通す際に、最上段又は最下段のリング部を手首に通さない場合、リング部同士が結合部によって結合されているので、手首を通さなかったリング部を垂れ下がる装飾用リングとするブレスレットに変形できる。
【実施例１】
【００１２】    以下図面に基づいて実施例を説明する。（図の縮尺は一定ではない。）
図１は、本発明によるブレスレットの一実施例を示す斜視図である。
弾性と伸縮性を付与（２）して形成されたベルト状リング（３）として、実施例では、金型によりシリコンゴムを用いて、ベルト状リングの幅３８ｍｍ、全周２０ｃｍ、各リング部の幅１２ｍｍに成型している。
金型を用いて成型されたベルト状リング（３）には、結合部（４）を残した状態に、周方向へのスリット（５）を、交互に１８０度ずらして２列設け、３個のリング部（６）が分割形成されている。
上記のようにして、成型されたブレスレット（１）は、並列状に展開した状態に変形できるように構成し、エキスパンダー（７）として利用できるように構成されている。
実施例では、ベルト状リング（３）は任意に選択できる実施形態に基づき顔料練り込みにより赤色に着色（Ａ）され、また、任意に選択できる実施形態に基づきローズマリーの香料が練り込みにより賦香（Ｂ）されている。
また、実施例では、任意に選択できる実施形態に基づき他のリング部に係止可能な係止具（Ｃ）としてのナスカンが右端のリング部に取り付けられている。
また、結合部（４）を残した状態に設けるスリット（５）の端部は、裂けないようにするための加工（Ｄ）として丸孔状に成型されている。【００１３】  上記の、エキスパンダーとして利用できるブレスレットは、両端部のリング部に親指を通して左右に広げることで、ベルト状リングに付与された弾性と伸縮性の作用により、胸郭を開いて体幹に負荷を与える効果を伴うエキスパンダーとして利用することができる。
また、ベルト状リング（３）の端部同士を、他のリング部に係止可能な係止具（Ｃ）により係止した場合、ネックレスやウエストベルトとして利用することができる。
【実施例２】
【００１４】    以下図面に基づいて実施例を説明する。（図の縮尺は一定ではない。）
図２は、本発明によるブレスレットの使用状態の一実施例を示す斜視図である。
実施例は、結合部（４）を残した状態に成型した周方向へのスリットを、１８０度ずらして２列設け、３個のリング部（６）を分割形成したベルト状リングを使用している。
上記３個のリング部（６）のうち、下段側の２個のリング部（６）を手首に挿通し、最上段の１個のリング部（６）は手の甲の上に乗せる状態に装着したうえで、該手の甲の上に乗せる状態に装着したリング部を引き伸ばして中指に引っ掛けることで、手の甲と手首を安定的かつ美的に飾る状態に装着している。
上記のように、本願のエキスパンダーとして利用できるブレスレットは、必要に応じて、手の甲と手首を安定的かつ美的に飾る状態に装着するように構成している。
【図面の簡単な説明】
【００１５】
【図１】本発明によるブレスレットの一実施例を示す斜視図である。
【図２】本発明によるブレスレットの使用状態の一実施例を示す斜視図である。
【符号の説明】
【００１６】  １  ブレスレット
２  弾性と伸縮性を付与
３  ベルト状リング
４  結合部
５  スリット
６  リング部
７  エキスパンダー
Ａ  着色
Ｂ  賦香
Ｃ  他のリング部に係止可能な係止具
Ｄ  裂けないようにするための加工
【要約】      （修正有）【課題】手の甲と手首を安定的かつ美的に飾る状態に装着するように構成したブレスレットを提供する。【解決手段】弾性と伸縮性を付与して形成されたベルト状リング３に、周方向へのスリット５を設けて３以上のリング部６を分割形成したブレスレット１であって、前記周方向へのスリット５を、分割形成するリング部６同士の結合部４を残した状態で設けるとともに、該結合部４を交互に１８０度ずらして形成し、前記ブレスレット１を並列状に展開した状態に変形できるように構成し、エキスパンダー７として利用できるように形成したブレスレット１であって、必要に応じて、前記３以上に分割形成したリング部６の一部を手首に通さず、手首の上面から中指に引っ掛け、手の甲と手首を安定的かつ美的に飾る状態に装着するように構成する。【選択図】図１【図１】
0005519849.tif 000002
【図２】
0005519849.tif 000003